【手続補正書】
【提出日】平成27年12月8日(2015.12.8)
【手続補正１】
【補正対象書類名】特許請求の範囲
【補正対象項目名】全文
【補正方法】変更
【補正の内容】
【特許請求の範囲】
【請求項１】
箱を形成するための折り畳み定型品において、
前記定型品の第１端に配置されている第１区分であって、長さ、幅、及び１つ又はそれ以上のフラップを有する第１区分と、
長さ、幅、及び１つ又はそれ以上のフラップを有する第２区分と、
長さ、幅、及び１つ又はそれ以上のフラップを有する第３区分と、
長さ、幅、及び１つ又はそれ以上のフラップを有する第４区分と、
前記定型品の前記第１区分とは反対側の第２端に配置されている第５区分であって、長さ、幅、及び１つ又はそれ以上のフラップを有する第５区分と、を備えており、前記第１区分と前記第５区分の前記長さの和は前記第３区分の前記長さに略等しい、折り畳み定型品。
【請求項２】
各区分は、中央部分、天フラップ、及び底フラップを有しており、前記天フラップ及び前記底フラップは前記中央部分の互いに反対側の辺から延びている、請求項１に記載の折り畳み定型品。
【請求項３】
前記第２区分は前記第１区分と前記第３区分の間に配置されている、請求項１に記載の折り畳み定型品。
【請求項４】
前記第３区分は前記第２区分と前記第４区分の間に配置されている、請求項１に記載の折り畳み定型品。
【請求項５】
前記第４区分は前記第３区分と前記第５区分の間に配置されている、請求項１に記載の折り畳み定型品。
【請求項６】
前記第２区分の前記長さは前記第４区分の前記長さに実質的に等しい、請求項１に記載の折り畳み定型品。
【請求項７】
各区分は２つのフラップを有している、請求項１に記載の折り畳み定型品。
【請求項８】
何れか２つの隣り合う区分は罫線によって区切られている、請求項１に記載の折り畳み定型品。
【請求項９】
前記第５区分の前記長さは前記第１区分の前記長さより大きい、請求項１に記載の折り畳み定型品。
【請求項１０】
前記折り畳み定型品はボール紙で作られている、請求項１に記載の折り畳み定型品。
【請求項１１】
前記第５区分の前記長さは前記第１区分の前記長さに実質的に等しい、請求項１に記載の折り畳み定型品。
【請求項１２】
前記第１区分の前記長さは前記第５区分の前記長さより大きい、請求項１に記載の折り畳み定型品。
【請求項１３】
箱を作る方法において、
各々が長さ、幅、及び１つ又はそれ以上のフラップを有する５つの区分を持つ折り畳み箱定型品であって、前記区分の２つは当該折り畳み箱定型品の互いに反対側の端に配置され、前記２つの互いに反対側の端の区分の前記長さの和は中間の区分の前記長さに略等しい、折り畳み箱を提供する段階と、
前記折り畳み箱定型品を、２つのフラップが天面を形成し天合わせ目を画定するように折る段階と、
前記折り畳み箱定型品を、２つの他のフラップが底面を形成し底合わせ目を画定するように折る段階と、
前記折り畳み箱定型品を折って４つの側壁を形成する段階であって、第１側壁は前記２つの互いに反対側の端の区分から形成され、当該互いに反対側の端の区分は前記箱の角からオフセットしている側壁合わせ目を形成する、４つの側壁を形成する段階と、を備えている方法。
【請求項１４】
前記２つの互いに反対側の端の区分を一体に固着する段階は、
粘着テープ片を前記２つの互いに反対側の端の区分の外表面上へ前記側壁合わせ目を跨いで貼付する段階と、
前記粘着テープの第１端を第１縁越しに折り返し、当該粘着テープを前記２つの互いに反対側の端の区分の内表面上へ貼付する段階と、
前記粘着テープの第２端を第２縁越しに折り返し、当該粘着テープを前記２つの互いに反対側の端の区分の前記内表面上へ貼付する段階と、を備えている、請求項１３に記載の方法。
【請求項１５】
前記２つの互いに反対側の端の区分によって形成されている前記側壁合わせ目は、前記天合わせ目及び前記底合わせ目からオフセットしている、請求項１３に記載の方法。
【請求項１６】
前記２つの互いに反対側の端の区分によって形成されている前記側壁合わせ目は、前記天合わせ目及び前記底合わせ目と略整列している、請求項１３に記載の方法。 
【手続補正２】
【補正対象書類名】明細書
【補正対象項目名】００１６
【補正方法】変更
【補正の内容】
【００１６】
本願発明の実施形態は、例えば、以下の通りである。
［実施形態１］
箱を形成するための折り畳み定型品において、
前記定型品の第１端に配置されている第１区分であって、長さ、幅、及び１つ又はそれ以上のフラップを有する第１区分と、
長さ、幅、及び１つ又はそれ以上のフラップを有する第２区分と、
長さ、幅、及び１つ又はそれ以上のフラップを有する第３区分と、
長さ、幅、及び１つ又はそれ以上のフラップを有する第４区分と、
前記定型品の前記第１区分とは反対側の第２端に配置されている第５区分であって、長さ、幅、及び１つ又はそれ以上のフラップを有する第５区分と、を備えており、前記第１区分と前記第５区分の前記長さの和は前記第３区分の前記長さに略等しい、折り畳み定型品。
［実施形態２］
前記区分のどれもが、それら各々の長さに沿って整列していて、実質的に等しい前記幅を有している、実施形態１に記載の折り畳み定型品。
［実施形態３］
各区分は、中央部分、天フラップ、及び底フラップを有しており、前記天フラップ及び前記底フラップは前記中央部分の互いに反対側の辺から延びている、実施形態１に記載の折り畳み定型品。
［実施形態４］
前記第２区分は前記第１区分と前記第３区分の間に配置されている、実施形態１に記載の折り畳み定型品。
［実施形態５］
前記第３区分は前記第２区分と前記第４区分の間に配置されている、実施形態１に記載の折り畳み定型品。
［実施形態６］
前記第４区分は前記第３区分と前記第５区分の間に配置されている、実施形態１に記載の折り畳み定型品。
［実施形態７］
前記第２区分の前記長さは前記第４区分の前記長さに実質的に等しい、実施形態１に記載の折り畳み定型品。
［実施形態８］
各区分は２つのフラップを有している、実施形態１に記載の折り畳み定型品。
［実施形態９］
何れか２つの隣り合う区分は罫線によって区切られている、実施形態１に記載の折り畳み定型品。
［実施形態１０］
前記第５区分の前記長さは前記第１区分の前記長さより大きい、実施形態１に記載の折り畳み定型品。
［実施形態１１］
前記折り畳み定型品はボール紙で作られている、実施形態１に記載の折り畳み定型品。
［実施形態１２］
前記第５区分の前記長さは前記第１区分の前記長さに実質的に等しい、実施形態１に記載の折り畳み定型品。
［実施形態１３］
前記第１区分の前記長さは前記第５区分の前記長さより大きい、実施形態１に記載の折り畳み定型品。
［実施形態１４］
折り畳み箱において、
２つの対向する天フラップから形成される天面であって、当該２つの対向する天フラップは天合わせ目を形成している、天面と、
２つの対向する底フラップから形成される底面であって、当該２つの対向する底フラップは底合わせ目を形成している、底面と、
前記天面と前記底面の間に延びる４つの側壁であって、当該側壁の１つは側壁合わせ目を形成している２つの区分から構成され、当該側壁合わせ目は前記折り畳み箱の角からオフセットしている、４つの側壁と、を備えている折り畳み箱。
［実施形態１５］
前記対向する天面フラップは実質的に同じ寸法である、実施形態１４に記載の折り畳み箱。
［実施形態１６］
複数の内フラップを更に備えている、実施形態１４に記載の折り畳み箱。
［実施形態１７］
前記複数の内フラップは６つの内フラップを備えている、実施形態１６に記載の折り畳み箱。
［実施形態１８］
前記複数の内フラップは３対の内フラップを備えている、実施形態１６に記載の折り畳み箱。
［実施形態１９］
前記天面は３つの内フラップによって支持されている、実施形態１６に記載の折り畳み箱。
［実施形態２０］
前記複数の内フラップは、
粘着テープで互いへ並列に接続されている２つの隣り合う内フラップの第１のセットと、
粘着テープで互いへ並列に接続されている２つの隣り合う内フラップの第２のセットと、を備えている、実施形態１６に記載の折り畳み箱。
［実施形態２１］
前記２つの隣り合う内フラップの第１のセット及び前記２つの隣り合う内フラップの第２のセットは、単一の粘着テープ片を使用して接続されている、実施形態２０に記載の折り畳み箱。
［実施形態２２］
前記２つの隣り合う内フラップの第１のセットを接続している前記粘着テープは、当該２つの隣り合う内フラップの第１のセットの第１面から、当該２つの隣り合う内フラップの第１のセットの縁越しに、当該２つの隣り合う内フラップの第１のセットの第２面上へ延びている、実施形態２０に記載の折り畳み箱。
［実施形態２３］
前記２つの隣り合う内フラップの第２のセットを接続している前記粘着テープは、当該２つの隣り合う内フラップの第２のセットの第１面から、当該２つの隣り合う内フラップの第２のセットの縁越しに、当該２つの隣り合う内フラップのセットの第２面上へ延びている、実施形態２０に記載の折り畳み箱。
［実施形態２４］
前記底面は３つの内フラップによって支持されている、実施形態１６に記載の折り畳み箱。
［実施形態２５］
前記天合わせ目は前記底合わせ目と実質的に整列している、実施形態１４に記載の折り畳み箱。
［実施形態２６］
前記側壁合わせ目は前記天合わせ目及び前記底合わせ目からオフセットしている、実施形態２５に記載の折り畳み箱。
［実施形態２７］
前記側壁合わせ目は前記天合わせ目及び前記底合わせ目と実質的に整列している、実施形態２５に記載の折り畳み箱。
［実施形態２８］
前記側壁合わせ目は、当該側壁合わせ目を形成している前記２つの区分を一体に保持する粘着テープで固着されている、実施形態１４に記載の折り畳み箱。
［実施形態２９］
前記粘着テープは手持ち式テープ繰り出し機で貼付される、実施形態２８に記載の折り畳み箱。
［実施形態３０］
箱を作る方法において、
各々が長さ、幅、及び１つ又はそれ以上のフラップを有する５つの区分を持つ折り畳み箱定型品であって、前記区分の２つは当該折り畳み箱定型品の互いに反対側の端に配置され、前記２つの互いに反対側の端の区分の前記長さの和は中間の区分の前記長さに略等しい、折り畳み箱を提供する段階と、
前記折り畳み箱定型品を、２つのフラップが天面を形成し天合わせ目を画定するように折る段階と、
前記折り畳み箱定型品を、２つの他のフラップが底面を形成し底合わせ目を画定するように折る段階と、
前記折り畳み箱定型品を折って４つの側壁を形成する段階であって、第１側壁は前記２つの互いに反対側の端の区分から形成され、当該互いに反対側の端の区分は前記箱の角からオフセットしている側壁合わせ目を形成する、４つの側壁を形成する段階と、を備えている方法。
［実施形態３１］
前記天面及び前記底面を形成する前記天フラップと前記底フラップを固着する段階を更に備えている、実施形態３０に記載の方法。
［実施形態３２］
前記フラップは粘着テープで固着される、実施形態３１に記載の方法。
［実施形態３３］
前記２つの互いに反対側の端の区分を一体に固着して前記第１側壁を形成する段階を更に備えている、実施形態３０に記載の方法。
［実施形態３４］
前記２つの互いに反対側の端の区分を一体に固着する段階は、
粘着テープ片を前記２つの互いに反対側の端の区分の外表面上へ前記側壁合わせ目を跨いで貼付する段階と、
前記粘着テープの第１端を第１縁越しに折り返し、当該粘着テープを前記２つの互いに反対側の端の区分の内表面上へ貼付する段階と、
前記粘着テープの第２端を第２縁越しに折り返し、当該粘着テープを前記２つの互いに反対側の端の区分の前記内表面上へ貼付する段階と、を備えている、実施形態３３に記載の方法。
［実施形態３５］
前記第１側壁を形成している前記２つの互いに反対側の端の区分と前記天フラップ及び前記底フラップは、単一の粘着テープ片で一体に固着される、実施形態３０に記載の方法。
［実施形態３６］
前記折り畳み箱定型品はボール紙で形成されている、実施形態３０に記載の方法。
［実施形態３７］
前記第１側壁は、略等しい長さを有している２つの互いに反対側の端の区分から形成されている、実施形態３０に記載の方法。
［実施形態３８］
前記第１側壁は、不等な長さを有している２つの互いに反対側の端の区分から形成されている、実施形態３０に記載の方法。
［実施形態３９］
前記２つの互いに反対側の端の区分によって形成されている前記側壁合わせ目は、前記天合わせ目及び前記底合わせ目からオフセットしている、実施形態３０に記載の方法。
［実施形態４０］
前記２つの互いに反対側の端の区分によって形成されている前記側壁合わせ目は、前記天合わせ目及び前記底合わせ目と略整列している、実施形態３０に記載の方法。
［実施形態４１］
前記２つの互いに反対側の端の区分は一体に固着されて前記側壁合わせ目を形成し、その後、前記天面を形成する前記２つのフラップ及び前記底面を形成する前記２つのフラップが一体に固着される、実施形態３０に記載の方法。
［実施形態４２］
箱を形成するための折り畳み定型品において、
各々が長さを有する第１列、第２列、第３列、第４列、及び第５列、各々が幅を有する第１行、第２行、第３行、第４行、及び第５行、に配列されている複数の識別できる部分であって、
前記第１列は、前記定型品の第１端に配置されているものとして、前記第１行に天フラップ、前記第２行に中央部分、及び前記第３行に底フラップ、を含んでおり、
前記第２列は、前記第１行に天フラップ、前記第２行に中央部分、及び前記第３行に底フラップ、を含んでおり、
前記第３列は、前記第１行に天フラップ、前記第２行に中央部分、及び前記第３行に底フラップ、を含んでおり、
前記第４列は、前記第１行に天フラップ、前記第２行に中央部分、及び前記第３行に底フラップ、を含んでおり、
前記第５列は、前記定型品の前記第１列とは反対側の第２端に配置されているものとして、前記第１行に天フラップ、前記第２行に中央部分、及び第３行に底フラップ、を含んでおり、
前記第３列の長さは、前記第１列と前記第５列の前記長さの和に実質的に等しい、複数の識別できる部分、を備えている折り畳み定型品。
［実施形態４３］
前記第１列の前記長さは前記第５列の前記長さとは異なる、実施形態４２に記載の折り畳み定型品。
［実施形態４４］
前記第１列の前記長さは前記第５列の前記長さに実質的に等しい、実施形態４２に記載の折り畳み定型品。
［実施形態４５］
前記第２列の前記長さは前記第４列の前記長さに実質的に等しい、実施形態４２に記載の折り畳み定型品。
［実施形態４６］
前記第２列は前記第１列と前記第３列の間に配置されており、前記第３列は前記第２列と前記第４列の間に配置されており、前記第４列は前記第３列と前記第５列の間に配置されている、実施形態４２に記載の折り畳み定型品。
［実施形態４７］
隣り合う列からの天面フラップ同士は互いから切目によって区切られている、実施形態４２に記載の折り畳み定型品。
［実施形態４８］
隣り合う列からの底面フラップ同士は互いから切目によって区切られている、実施形態４２に記載の折り畳み定型品。
［実施形態４９］
隣り合う列からの中央部分同士は互いから罫線によって区切られている、実施形態４２に記載の折り畳み定型品。
［実施形態５０］
前記第１行と前記第３行の各々の前記幅は、前記第３列の前記長さの半分に実質的に等しい、実施形態４２に記載の折り畳み定型品。
［実施形態５１］
前記第１列からの前記中央部分と前記第５列からの前記中央部分は前記箱の側壁を形成するべく一体に固着されてもよい、実施形態４２に記載の折り畳み定型品。
［実施形態５２］
前記第１列からの前記中央部分と前記第５列からの前記中央部分は、一体に固着されたとき、前記箱の前記側壁に合わせ目を形成している、実施形態５１に記載の折り畳み定型品。
［実施形態５３］
前記合わせ目は前記箱の角からオフセットしている、実施形態５２に記載の折り畳み定型品。
［実施形態５４］
前記合わせ目は前記側壁の中心からオフセットしている、実施形態５２に記載の折り畳み定型品。
［実施形態５５］
前記合わせ目は前記側壁の中心と略整列している、実施形態５２に記載の折り畳み定型品。
［実施形態５６］
前記第１列と前記第５列は、前記箱の製造者接合部（manufacturer's joint）を形成するべく、前記中央部分の前記幅に沿って、且つ前記天フラップ及び前記底フラップの前記幅の少なくとも一部分に沿って、一体に固着されてもよい、実施形態４２に記載の折り畳み定型品。
［実施形態５７］
前記第１列と前記第５列は、前記天フラップ及び前記底フラップの前記幅全体に沿って一体に固着されている、実施形態５６に記載の折り畳み定型品。
［実施形態５８］
前記第１列と前記第５列は、前記天フラップ及び前記底フラップの第１面側ではそれらの幅全体に亘って且つ前記天フラップ及び前記底フラップの第２面側ではそれらの前記幅の一部分に亘って貼付されている粘着テープで一体に固着されている、実施形態５７に記載の折り畳み定型品。
［実施形態５９］
前記粘着テープは、前記天フラップの前記第１面から縁越しに前記第２面上へ延びている、実施形態５８に記載の折り畳み定型品。
［実施形態６０］
前記粘着テープは、前記底フラップの前記第１面から縁越しに前記第２面上へ延びている、実施形態５８に記載の折り畳み定型品。
［実施形態６１］
前記第１列と前記第５列は、前記天フラップ及び前記底フラップの前記幅全体に満たない幅に沿って一体に固着されている、実施形態５６に記載の折り畳み定型品。
［実施形態６２］
前記第１列と前記第５列は、粘着テープで一体に固着されている、実施形態５６に記載の折り畳み定型品。
［実施形態６３］
前記粘着テープは手持ち式テープ繰り出し機で貼付される、実施形態６２に記載の折り畳み定型品。
［実施形態６４］
前記第１列と前記第５列は、前記折り畳み定型品を前記箱へ形成し当該箱を使用する直前に一体に固着されてもよい、実施形態５６に記載の折り畳み定型品。
［実施形態６５］
箱を組み立てるための方法において、
各々が、長さ、幅、及び１つ又はそれ以上のフラップを有する５つの区分を持つ箱定型品であって、前記区分の２つは当該折り畳み箱定型品の互いに反対側の端に配置されており、前記２つの互いに反対側の端の区分の前記長さの和は中間の区分の前記長さに略等しい、箱定型品を提供する段階と、
前記箱定型品を、前記２つの互いに反対側の端の区分の縁が互いに隣接に位置付けられて合わせ目を形成するように、折る段階と、
前記合わせ目の長さを割り出す段階と、
前記合わせ目を封緘するための寸法の合わされた選択長さのテープを提供する段階と、
前記合わせ目を前記長さのテープで封緘する段階と、を備えている方法。
［実施形態６６］
テープ測定システムであって、
支持構造と、
前記箱定型品のテープ貼り可能な表面の長さを測定するための手段と、
テープ繰り出し機と、を備えるテープ測定システム、を提供する段階を更に備えている、実施形態６５に記載の方法。
［実施形態６７］
前記測定するための手段は、前記合わせ目の長さを測定するように構成されている、実施形態６６に記載の方法。
［実施形態６８］
前記合わせ目の前記長さを割り出す段階は、前記箱定型品を基準板に当接に位置付ける段階を備えている、実施形態６５に記載の方法。
［実施形態６９］
前記合わせ目を封緘するための寸法の合わされた前記選択長さのテープを提供する段階は、前記合わせ目の前記長さより短い長さのテープを提供する段階を備えている、実施形態６５に記載の方法。
［実施形態７０］
前記合わせ目を封緘するための寸法の合わされた前記選択長さのテープを提供する段階は、前記合わせ目の前記長さより長い長さのテープを提供する段階を備えている、実施形態６５に記載の方法。
［実施形態７１］
前記合わせ目を封緘するための寸法の合わされた前記選択長さのテープを提供する段階は、前記合わせ目の前記長さに実質的に等しい長さのテープを提供する段階を備えている、実施形態６５に記載の方法。
［実施形態７２］
前記箱定型品を、２つ又はそれ以上のフラップが当該２つ又はそれ以上のフラップによって形成される合わせ目を有する底面を形成するように、折る段階を更に備えている、実施形態６５に記載の方法。
［実施形態７３］
前記底面の前記合わせ目の前記長さを割り出す段階と、
前記底面の前記合わせ目を封緘するための寸法の合わされた選択長さのテープを提供する段階と、
前記底面の前記合わせ目を前記長さのテープで封緘する段階と、を更に備えている、実施形態７２に記載の方法。
［実施形態７４］
前記底面の前記合わせ目の前記長さを割り出す段階は、前記箱定型品を基準板に当接に位置付ける段階を備えている、実施形態７３に記載の方法。
［実施形態７５］
前記底面の前記合わせ目を封緘するための寸法の合わされた前記選択長さのテープを提供する段階は、前記底面の前記合わせ目の前記長さより長い長さのテープを提供する段階を備えている、実施形態７３に記載の方法。
［実施形態７６］
前記箱定型品を、２つ又はそれ以上のフラップが当該２つ又はそれ以上のフラップによって形成される合わせ目を有する天面を形成するように、折る段階を更に備えている、実施形態６５に記載の方法。
［実施形態７７］
前記天面の前記合わせ目の前記長さを割り出す段階と、
前記天面の前記合わせ目を封緘するための寸法の合わされた選択長さのテープを提供する段階と、
前記天面の前記合わせ目を前記長さのテープで封緘する段階と、を更に備えている、実施形態７６に記載の方法。
［実施形態７８］
前記天面の前記合わせ目の前記長さを割り出す段階は、前記箱定型品を基準板に当接に位置付ける段階を備えている、実施形態７７に記載の方法。
［実施形態７９］
前記天面の前記合わせ目を封緘するための寸法の合わされた前記選択長さのテープを提供する段階は、前記天面の前記合わせ目の前記長さより長い長さのテープを提供する段階を備えている、実施形態７７に記載の方法。
［実施形態８０］
前記測定するための手段は、光学式センサー、超音波センサー、圧力センサー、自動式箱裁断装置、カメラ、及びそれらの組合せ、のうちの少なくとも１つを備えている、実施形態７７に記載の方法。
[0015]本発明のこれら及び他の目的及び特徴は、次に続く説明及び付随の特許請求の範囲からより完全に明らかになりもすれば、以下に示されている本発明の実践によって知り得もしよう。